(57)【要約】      （修正有）【課題】従来のティッシュケースは、固定された大きさのティッシュボックスしか使用できなかった上、収納スペースを別の場所にしなければならなかったが、大きさの異なったティッシュボックスを使用しながら、空いたスペースに未使用のティッシュボックスや他の物が収納できるという、ティッシュボックス収納ケースを提供する。【解決手段】ティッシュボックス収納ケース本体１の上面２にティッシュの取り出し口４を設け、側面３内側にレール５を細かい間隔で数十本設け、１箱又は複数のティッシュボックスを載せたしきり板６を、一番上のティッシュボックスの取り出し口８をティッシュボックス収納ケースの取り出し口に近づけるようにして差込み、異なった大きさのティッシュボックス７に対応する事ができるティッシュボックス収納ケース。【選択図】図１
2010036967.tif 000002
【特許請求の範囲】
【請求項１】
複数のティッシュボックスを収容するティッシュボックス収容ケースにおいて、
当該ティッシュボックス収納ケースの上面にティッシュ取り出し口と、両側面内側に細かい間隔で、レールを設け、１箱または、複数箱のティッシュボックスを載せる差し込み型のしきり板を、当該複数箱ティッシュボックスの一番上のティッシュボックスの取り出し口を介して、ティッシュボックス収納ケースの取り出し口からティッシュを取り出せるレールに挿入できるティッシュボックス収容ケース。
【請求項２】
請求項１のしきり板は、１箱又は複数箱のティッシュボックスを載せて、レールに挿入できるようにした平面板であるティッシュボックス収容ケース。
【請求項３】
請求項１のしきり板は、ティッシュボックスが落ちないように、当該しきり板の平面板の前端に落下防止ストッパー、又は、ティッシュボックスを引き出すため、後端に引き出しストッパーを設けたティッシュボックス収容ケース。
【請求項４】
請求項１のしきり板は、１箱又は複数箱のティッシュボックスを、しきり板の平面板に設けた２つの移動可能なスライド式ストッパーで挟むようにしたティッシュボックス収容ケース。
【請求項５】
ティッシュボックス収容ケースの側面にあたらないように、切りかきをもうけた落下防止ストッパー、又は引き出しストッパーを有する請求項１のティッシュボックス収容ケース。
【請求項６】
ティッシュボックス収納ケース内側面のレールは、３ｍｍ〜３ｃｍの間隔とし、ティッシュボックス収納ケースの上方からティッシュを取り出しやすいレールの間隔とした請求項１のティッシュボックス収容ケース。
【請求項７】
ティッシュボックス収納ケース使用中の空きスペースを、未使用のティッシュ箱や使用済みティッシュボックスやその他の物が、収納できるようにした請求項１のティッシュボックス収容ケース。
【発明の詳細な説明】
【技術分野】
【０００１】
本発明は、大きさの異なった複数のティッシュボックスを収容すると伴に、一番上に配置したティッシュボックスからティッシュを取り出しやすくし、未使用ティッシュボックス等をストックしておける、インテリア型ティッシュボックス収納ケースに関するものである。
【背景技術】
【０００２】
従来のティッシュボックス収納ケースに関するものは、大きさが固定され、１箱のティッシュボックスに対して、カバーをかける程度のもの（特許文献１を参照）であった。現在では、同じメーカーでも、枚数が同じでティッシュボックスが小さいサイズになったものや、種類の異なったティッシュにおいては、ティッシュボックスのサイズが大きいもの等が販売されている為、大きさの異なったティッシュボックスを収容することが求められている。
【０００３】
複数のティッシュボックスを１パックとして購入した場合、必要分のティッシュボックスだけを取り出し、未使用分は別の場所へ収納している為、使用中のティッシュがなくなれば、収納場所へ取りに行かなければならなかった。複数枚取り出したいのに最後の１枚だったときなどは、手間がかかり、急いでいる時等はきわめて不便であった。
【０００４】
また、収納場所がない場合や収納場所に別の物がつまっており、スペースがないときには、部屋の隅に置きっぱなしになっていて、部屋の見た目の印象が悪くなるという問題があった。
【０００５】
ソファーや椅子に座って生活することが増えてきている中、ティッシュボックスをテーブルの上に置いていると、テーブルを使用する食事等の時には邪魔になり、わざわざ床や別の場所へよけておかなければならない為、必要時にはすぐに取り出せない等面倒であった。
【特許文献１】特開平１１−１９２１８６
【発明の開示】
【発明が解決しようとする課題】
【０００６】
本発明は、大きさの異なったティッシュボックスを使用しながら、未使用の大きさの異なるティッシュボックス等の収納ができ、部屋のインテリアの一部としても使用できるティッシュボックス収納ケースとして提供する。
【課題を解決するための手段】
【０００７】
本発明のティッシュボックス収納ケースの本体１は、プラスティック、アクリル樹脂、木、ボール紙等の素材で構成し、複数のティッシュボックスが収容できる直方体のケースで、上面２にティッシュを取り出すためのティッシュ取り出し口４を設け、両側面の内側にレール５を細かい間隔で数十本設け、１箱又は複数箱のティッシュボックスをしきり板にのせ、一番上のティッシュボックスを、ティッシュボックス収納ケースの上面に近くして、ケースの上面のティッシュ取り出し口からティッシュを取りせるようにレールに挿入して使用する。
【発明の効果】
【０００８】
大きさの異なったティッシュボックスの使用ができ、且つ、使用していないティッシュボックスも収納ができるので、新たな収納場所が不要になり、日常生活にあわせた活用ができる上、部屋のインテリアの一部にもなる。
【発明を実施するための最良の形態】
【０００９】
この発明のティッシュボックス収納ケースは、図１に示すように、上面２に設けたティッシュ取り出し口４と、両側面３と、両側面３の内側にレール５を細かい間隔で数十本設けた直方体のケース本体１と、しきり板６で構成される。
【００１０】
このしきり板６には、図４に示すように複数の大中小のティッシュボックス７を載せられるようにしている。しきり板６には、図３−ａのように単にティッシュボックスを１箱又は複数箱、載せられるようにした平面板のものと、図３−ｂ、図３−ｃ、図３−ｄのようにティッシュボックスが落ちないように、平面板９の前端と後端に固定ストッパーを設けたものと、図３−ｅ１、図３−ｅ２のように１箱又は複数箱のティッシュボックスを前後に挟めるようにしたスライド式ストッパー付きのものがある。
【００１１】
また、ストッパー付きのしきり板には、ティッシュボックス収納ケースの側面内部のレール５に、スムーズに差し込めるように切りかき１０を設ける。
【００１２】
しきり板６に複数のティッシュボックス７を載せ、一番上のティッシュボックスのティッシュ取り出し口８とティッシュボックス収納ケースの取り出し口４を近づけられるようレール５を選び、当該レール５に沿って、ティッシュボックス収納ケースに収める。
【００１３】
また、スライド式ストッパー付きのしきり板の場合は、ティッシュボックスをしきり板の上に載せ、２つのストッパーを移動させてティッシュボックスを前後に挟むようにして、ティッシュボックス収納ケースの本体１のレール５に差し込む。
【００１４】
このように、大きさの異なったティッシュボックスを自由に使用しながら収納もでき、ティッシュボックスだけでなく、その他の物も収納ができるインテリアとしても、使用可能であるティッシュボックス収納ケースとして、提供することである。
【００１５】
図３−ａのしきり板は、平面板９からなり、当該平面板９に、１箱又は複数箱のティッシュボックスを載せ、ケース本体１の上面２にあるティッシュ取出し口４とティッシュボックス７のティッシュ取出し口８を近付け、ケース本体１のレール５に差し込む。未使用のティッシュボックス（１箱〜複数箱）は、ケース本体１の空いたスペースにストックしておくことができる。（その他の物もストック可能である。）
【００１６】
図３−ｂのしきり板は、平面板９の前端に、切りかき１０のある落下防止ストッパー１１を設け、引き出した時に、ティッシュボックスがしきり板から落ちにくくしている。
【００１７】
図３−ｃのしきり板は、平面板９の後端に、切りかき１０のある引き出しストッパー１２を設け、しきり板を引き出しやすくしている。
【００１８】
図３−ｄのしきり板は、平面板９の前後に、切りかき１０のある落下防止ストッパー１１と、引き出しストッパー１２を設け、ティッシュボックスを引き出しやすく、且つ、落ちにくくしている。
【００１９】
図３−ｅ１と図３−ｅ２のしきり板は、平面板９にスライド式ストッパー１３，１４が付いたもので、図３−ｅ１のストッパー１３，１４を前後に移動させて図３−ｅ２のように、２つのストッパーの間隔を狭め、小さいティッシュボックスを挟めるようにできる。
【００２０】
大きさがわかっている場合は、図３−ａのしきり板を差し込んでおき、ティッシュボックス８を平面板９に載せても同様である。
【００２１】
図３−ａから図３−ｅ２のしきり板を組み合わせて使用すると、いろいろな用途として使用できる。
【産業上の利用可能性】
【００２２】
この発明は、大きさの異なった複数のティッシュボックスを収納しながら、部屋のインテリアとしても使用できるティッシュボックス収納ケースとして利用できる。
【図面の簡単な説明】
【００２３】
【図１】ティッシュボックス収納ケースの斜視図
【図２】ティッシュボックス収納ケース本体の正面図
【図３】（３−ａ）  しきり板  ：平面板      （３−ｂ）  しきり板  ：落下防止ストッパー付      （３−ｃ）  しきり板  ：引き出しストッパー付      （３−ｄ）  しきり板  ：落下防止、引き出しストッパー付      （３−ｅ１）  しきり板  ：スライド式ストッパー付（間隔大の場合）      （３−ｅ２）  しきり板  ：スライド式ストッパー付（間隔小の場合）
【図４】ティッシュボックス収納ケースへの収容例
【符号の説明】
【００２４】
１  本体
２  上面
３  側面
４  ティッシュ取り出し口
５  レール
６  しきり板（載せ台）
７  ティッシュボックス
（大：大きいサイズ・中：普通のサイズ・小：小さいサイズ）
８  ティッシュボックスのティッシュ取り出し口
９    平面板
１０  切りかき
１１  （固定式）落下防止ストッパー
１２  （固定式）引き出しストッパー
１３  スライド式落下防止ストッパー
１４  スライド式引き出しストッパー
【図１】
2010036967.tif 000003
【図２】
2010036967.tif 000004
【図３】
2010036967.tif 000005
【図４】
2010036967.tif 000006
【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
複数のティッシュボックスを収容するティッシュボックス収容ケースにおいて、
当該ティッシュボックス収納ケースの上面にティッシュ取り出し口、両側面内側に細かい間隔で、レールを設け、１箱または、複数箱のティッシュボックスを載せる差し込み型のしきり板を、当該１箱または複数箱のティッシュボックスの一番上のティッシュボックスの取り出し口を介して、ティッシュボックス収納ケースの取り出し口からティッシュを取り出せるレールに挿入し、前記しきり板は、当該１箱又は複数箱のティッシュボックスを、しきり板に設けた２つの移動可能なスライド式ストッパーで挟むようにしたティッシュボックス収容ケース。